(57)【特許請求の範囲】
【請求項１】
略対象形状を有する２つのスイッチ押圧部を両側に、弾性力を有する２つの第１の薄肉部を両端に、弾性力を有する第２の薄肉部を中央に備え、前記２つの第１の薄肉部は、それぞれ先端にスイッチを押すための面と、互いに向き合う対向面を有したシーソー型ツマミ本体と、前記２つの第１の薄肉部の両側に設けられたガイド部と、前記第２の薄肉部の一部を両側から挟持する挟持部と、前記第２の薄肉部の先端付近に設けられ、前記シーソー型ツマミ本体を支持するとともに支点となる支点部とを備え、前記シーソー型ツマミ本体の前記押圧部を押圧したとき、前記２つの第１の薄肉部が前記ガイド部にガイドされ、前記対向面同士を接触させることにより、回転運動を直線運動に変えることを特徴とするシーソー型スイッチ機構。
【発明の詳細な説明】
【０００１】
【発明の属する技術分野】
本発明はプリント基板に取り付けられたスイッチとスイッチを押圧するツマミが離れている電子機器等に使用されるシーソー型スイッチ機構に関するものである。
【０００２】
【従来の技術】
近年、プリンタ装置が内蔵されたワードプロセッサなどの情報処理装置では、プリンタの用紙送り等を手動ではなくモーターで電気的に行うものが増えてきている。
従来のプリンタ装置を内蔵した情報処理装置と、そのシーソー型スイッチ機構の部分断面図を図２に示す。図２において、２１は情報処理装置本体で、プリンタ装置（図示せず）が内蔵されている。２２はシーソー型ツマミで２ヵ所の押圧部２２ａおよび２２ｂを有し、情報処理装置本体２１に動作可能に取り付けられる。２ヵ所の押圧部２２ａおよび２２ｂの下部にはプリンタ装置の用紙送りを行うための２つのタクトスイッチ２３がそれぞれプリント基板２４に取り付けられている。プリント基板２４からは情報処理装置本体２１の制御を行うプリント基板２５までリード線２６によって接続されている。
【０００３】
以上のように構成された従来のシーソー型スイッチ機構について、図を用いて説明する。プリンタ装置の用紙を送るためにシーソ型ツマミ２２の２ヵ所の押圧部２２ａまたは２２ｂを押す。シーソ型ツマミ２２はスイッチ２３に連動し、タクトスイッチ２３が押される。タクトスイッチ２３からの信号はリード線２６を通じプリント基板２５に送られ用紙送りモーター（図示せず）の制御が行われる。この制御により、片方のスイッチを押したとき順方向、もう一方のスイッチを押せば逆方向に用紙が送られる。
【０００４】
【発明が解決しようとする課題】
しかしながら、このような従来のシーソー型スイッチ機構では、シーソー型ツマミと制御を行うプリント基板が離れているため、スイッチのための専用のプリント基板および中継のためのリード線を必要とし、組立工数が多くなるとともに不良も発生しやすくなる。
【０００５】
本発明はこのような問題点を解決し、スイッチのための専用のプリント基板および中継のためのリード線を必要としない簡単な構成としたシーソー型スイッチ機構を提供することを目的とする。
【０００６】
【課題を解決するための手段】
本発明のシーソー型スイッチ機構においては、シーソー型ツマミの両端のスイッチに連動する部分をそれぞれ薄肉部とし、２ヵ所の薄肉部を両側から挟持するとともに、シーソー型ツマミ押圧時に薄肉部同士を接触させるように構成することにより、シーソー型ツマミの回転運動を直線運動に変えるようにしたものである。
【０００７】
この発明によれば、シーソー型ツマミと制御を行うプリント基板が離れていても、中継のためのリード線やスイッチ専用のプリント基板を不要とし、さらに、軽い操作力でシーソー型ツマミ本体をガイドされる方向に動作させることができる簡単な構成としたシーソー型スイッチ機構が得られる。
【０００８】
【発明の実施の形態】
本発明の請求項１に記載の発明は、略対象形状を有する２つのスイッチ押圧部を両側に、弾性力を有する２つの第１の薄肉部を両端に、弾性力を有する第２の薄肉部を中央に備え、前記２つの第１の薄肉部は、それぞれ先端にスイッチを押すための面と、互いに向き合う対向面を有したシーソー型ツマミ本体と、前記２つの第１の薄肉部の両側に設けられたガイド部と、前記第２の薄肉部の一部を両側から挟持する挟持部と、前記第２の薄肉部の先端付近に設けられ、前記シーソー型ツマミ本体を支持するとともに支点となる支点部とを備え、前記シーソー型ツマミ本体の前記押圧部を押圧したとき、前記２つの第１の薄肉部が前記ガイド部にガイドされ、前記対向面同士を接触させることにより、回転運動を直線運動に変えることを特徴とするシーソー型スイッチ機構としたものであり、薄肉部のたわみを利用し、中継のためのリード線やスイッチ専用のプリント基板を必要とせず、シーソー型ツマミ本体を一体化し、しかも軽い操作力でシーソー型ツマミ本体の回転運動を直線運動に変えることができるという作用を有する。
【００１０】
以下、本発明の実施の形態について図１から図３を用いて説明する。
（実施の形態１）
図１は本発明のシーソー型スイッチ機構を示す部分断面図である。図１において、１は情報処理装置本体で、プリンタ装置（図示せず）が内蔵されている。２はシーソー型ツマミで２ヵ所の押圧部２ａ、２ｂを有し、情報処理装置本体１に動作可能に取り付けられる。シーソー型ツマミ２の両端には薄肉部３と、ほぼ対象形の薄肉部４がそれぞれ形成されている。また、シーソー型ツマミ２の中央部にはやはり薄肉部５が形成されている。３ヵ所の薄肉部はいずれも弾性を有している。シーソー型ツマミ２は情報処理装置本体１に中央部の薄肉部５を、情報処理装置本体１に設けられた支点部６と挟持部７により支持され、２ヵ所の押圧部２ａが押されたときに、支点部６および挟持部７を支点にシーソー形の回転運動を行う。薄肉部３および薄肉部４の先端部は、情報処理装置本体１に取り付けられたプリント基板８上のタクトスイッチ９を押すための面３ａ、４ａと、対向する面３ｂ、４ｂを有している。また、薄肉部３および薄肉部４の両側にはガイド部１０が設けられている。
【００１１】
以上のように構成された本発明のシーソー型スイッチ機構について、図を用いて説明する。プリンタ装置の用紙を送るためにシーソ型ツマミ２の押圧部２ａを押す。シーソ型ツマミ２は情報処理装置本体１の支点部６および挟持部７を支点にシーソー形の回転運動を行う。このとき、薄肉部３も同じ支点を中心に回転しようとするが、まず、薄肉部３の対向する面３ｂが、薄肉部４の対向する面４ｂを押す。しかしながら、薄肉部４はガイド部１０で回転方向の動きが規制されるため、薄肉部３も回転方向にはわずかしか動作しない。スイッチツマミを押圧したときの回転方向の動作量は薄肉部３が弾性によりたわみ、直線方向の動作量に変換されてタクトスイッチ９が押される。
【００１２】
タクトスイッチ９からの信号はプリント基板８内の制御回路に送られ用紙送りモーター（図示せず）の制御が行われる。シーソー型ツマミ２のもう１つの押圧部２ｂを押したときも同様である。この制御により、片方のスイッチを押したとき順方向、もう一方のスイッチを押せば逆方向に用紙が送られる。
また、シーソー型ツマミ２を押圧する場合、薄肉部５も弾性を有しているため、押圧したときにたわむことにより、少しの押圧力でシーソー運動をさせることができ、シーソー型ツマミ２の操作力も軽減することができる。
【００１３】
【発明の効果】
以上のように本発明によれば、シーソー型ツマミと制御用のプリント基板が離れている場合にスイッチツマミ本体を一体化した簡単な構成にでき、しかも軽い操作力でシーソー型ツマミ本体の回転運動を直線運動に変えることができるというシーソー型スイッチ機構が得られる。
【図面の簡単な説明】
【図１】本発明の実施例のシーソー型スイッチ機構を示す部分断面図
【図２】（ａ）従来のシーソー型スイッチ機構を内蔵した情報処理装置の外観斜視図
（ｂ）従来のシーソー型スイッチ機構を示す部分断面図
【符号の説明】
１  情報処理装置本体
２  シーソー型ツマミ
２ａ、２ｂ  押圧部
３、４、５  薄肉部
３ｂ、４ｂ  対向する面
６  支点部
７  挟持部
１０  ガイド部
【図１】
0003796814.tif 000002
【図２】
0003796814.tif 000003